(57)【要約】【課題】サンルーム並に屋内外の一体感がある居住空間を構成することができるとともに、プライバシーを確保した落ち着きのある室内空間にも容易に変貌させることができる可動屋根構造を提供する。【解決手段】勾配屋根１住宅建物１０において、屋内の各居住空間のうち、少なくとも一部の居住空間の屋根には、透光性のある屋根材２０が設けられて屋外から屋内への採光が可能な透光部２が形成されるとともに、この透光部２上の屋根には、一対のレール３０上を滑動可能に平行移動する可動屋根材３が設けられ、屋外から透光部を介して屋内へと差し込む日差しを、可動屋根材３によって遮蔽することができるようになされた可動屋根構造。【選択図】  図１
2005083117.tif 000002
【特許請求の範囲】
【請求項１】
勾配屋根または陸屋根を有する住宅建物において、
屋内の各居住空間のうち、少なくとも一部の居住空間の屋根には、透光性のある屋根材が設けられて屋外から屋内への採光が可能な透光部が形成されるとともに、この透光部上の屋根には、一対のレール上を滑動可能に平行移動する可動屋根材が設けられ、屋外から透光部を介して屋内へと差し込む日差しを、可動屋根材によって遮蔽することができるようになされたことを特徴とする可動屋根構造。
【請求項２】
可動屋根材を滑動可能にするレールは、バルコニーや下層階の屋根上などの透光部以外の部分の上方を可動屋根材が移動してこれら部位をも遮蔽することができるように設けられてなる請求項１記載の可動屋根構造。
【請求項３】
屋内の各居住空間の間取りは、可動屋根材の大きさの単位で均等にブロック分けされ、可動屋根材は、このブロック単位毎に遮蔽するようになされた請求項１または２記載の可動屋根構造。
【請求項４】
可動屋根材の表面に太陽電池が貼設されてなる請求項１ないし３の何れか一記載の可動屋根構造。
【発明の詳細な説明】
【技術分野】
【０００１】
本発明は、住宅建物における可動式の屋根構造に関する。
【背景技術】
【０００２】
従来より、屋根の一部に開閉可能なトップライトを設け、このトップライトを介して屋外の光を屋内に取り入れることが行われている。
【０００３】
また、一つの居室の屋根をガラス屋根で構成してサンルームを構成することも行われている。
【０００４】
さらに、屋根の一部に設けた開口に、ヒンジ式またはスライド式の透明ガラスからなる窓体と、太陽電池パネルとを設けた天窓装置も提案されている。
【特許文献１】特開平９−５３３０９号公報
【発明の開示】
【発明が解決しようとする課題】
【０００５】
しかし、上記従来のトップライトやガラス屋根の場合、日射コントロールの手段がブラインドのみで断熱性も低いため、室内の快適な温熱環境確保が困難になってしまう。
【０００６】
また、上記従来の天窓装置の場合、ガラス屋根と言うよりは、屋根の一部に窓を設けたような部分的なものであるため、屋内外の一体感が得られる程の採光が得られるものではなく、ある程度の採光と換気しかできない。
【０００７】
本発明は、係る実情に鑑みてなされたものであって、サンルーム並に屋内外の一体感がある居住空間を構成することができるとともに、プライバシーを確保した落ち着きのある室内空間にも容易に変貌させることができる可動屋根構造を提供することを目的としている。
【課題を解決するための手段】
【０００８】
上記課題を解決するための本発明の可動屋根構造は、勾配屋根または陸屋根を有する住宅建物において、屋内の各居住空間のうち、少なくとも一部の居住空間の屋根には、透光性のある屋根材が設けられて屋外から屋内への採光が可能な透光部が形成されるとともに、この透光部上の屋根には、一対のレール上を滑動可能に平行移動する可動屋根材が設けられ、屋外から透光部を介して屋内へと差し込む日差しを、可動屋根材によって遮蔽することができるようになされたものである。
【０００９】
また、可動屋根材を滑動可能にするレールは、バルコニーや下層階の屋根上などの透光部以外の部分の上方を可動屋根材が移動してこれら部位をも遮蔽することができるように設けられてなるものである。
【００１０】
さらに、屋内の各居住空間の間取りは、可動屋根材の大きさの単位で均等にブロック分けされ、可動屋根材は、このブロック単位毎に遮蔽するようになされたものである。
【００１１】
さらにまた、可動屋根材の表面に太陽電池が貼設されてなるものである。
【発明の効果】
【００１２】
以上述べたように、本発明によれば、屋内の各居住空間のうち、少なくとも一部の居住空間の屋根には、透光性のある屋根材が設けられて屋外から屋内への採光が可能な透光部が形成されているので、これら透光部が形成された居住空間は、屋根面に遮蔽物が無く屋外と一体化した解放感のある空間を得ることができる。また、この状態で可動屋根材をスライド移動させて透光部を遮蔽することで、通常の居室と同様に落ち着きのある室内空間を構成することができる。
【００１３】
また、可動屋根材に太陽電池を貼設しておけば、日照時間帯によって影の無い位置に可動屋根材を適宜移動させて効率よく太陽エネルギーを利用することができる。
【００１４】
さらに、可動屋根材によって透光部を遮蔽することにより、居住空間のプライバシーの確保や、風雨を遮って快適な居住空間を形成することができる。
【発明を実施するための最良の形態】
【００１５】
以下、本発明の実施の形態を図面を参照して説明する。
【００１６】
図１は可動屋根構造の全体構成の概略を示し、図２および図３は同要部を示し、図４はその使用状態を示している。
【００１７】
この可動屋根構造は、片流れ屋根１を有する住宅建物１０において、片流れ屋根１の一部に、透光部２が形成されるとともに、この透光部２上には、可動屋根材３が設けられ、屋外から透光部２を介して屋内へと差し込む日差しを、可動屋根材３によって遮蔽するようになされている。
【００１８】
住宅建物１０は、図５に示すように、片流れ屋根１の長手方向に沿って均等な３ブロックに区画されており、長手方向に沿った一側のブロックの位置には、棟部１１から軒部１２にわたってキッチン１０ａ、ダイニング１０ｂ、リビング１０ｃが一続きの連続する空間で設けられている。住宅建物１０の中央のブロックには、キッチン１０ａに隣接した位置に廊下１０ｄおよび階段１０ｅが設けられ、ダイニング１０ｂおよびリビング１０ｃに隣接した位置にバルコニー１０ｆが設けられている。住宅建物１０の他側のブロックには、廊下１０ｄおよび階段１０ｅに隣接した位置にトイレ１０ｇおよび洗面所１０ｈが設けられ、この洗面所１０ｈから軒側に隣接した位置に浴室１０ｉが設けられている。また、この浴室１０ｉと前記中央のブロックのバルコニー１０ｆとの間に設けられ、トイレ１０ｇから廊下１０ｄを介して軒側に隣接した位置に露天洗場１０ｊが設けられている。浴室１０ｉおよび露天洗場１０ｊからさらに軒側に隣接した位置には、下層階の屋根１０ｋが設けられており、この屋根１０ｋには、トップライト１０ｍが設けられている。
【００１９】
この住宅建物１０の片流れ屋根１は、棟部１１から軒部１２に到る全体のうちの棟部１１側から約１／３の幅で長手方向に沿った範囲、すなわち、キッチン１０ａ、廊下１０ｄ、階段１０ｅ、トイレ１０ｇ、洗面所１０ｈの頭上の位置に、通常の屋根材１３が設けられている。また、残りの片流れ屋根１の部分のうち、ダイニング１０ｂ、リビング１０ｃの頭上の位置には、全面に透光性のあるガラス屋根材２０が設けられて透光部２が形成されている。また、浴室１０ｉの頭上の位置にも、全面に透光性のあるガラス屋根材２０が設けられて透光部２が形成されている。バルコニー１０ｆ、露天洗場１０ｊ、屋根１０ｋの頭上の位置には、屋根材１３やガラス屋根材２０が設けられずにフレーム１４だけが設けられている。
【００２０】
可動屋根材３は、図２および図３に示すように、片流れ屋根１０の棟部１１と軒部１２とに沿って設けられた一対のレール３０、３０間に滑動可能に設けられて平行移動できるようになされている。可動屋根材３は、矩形に枠組みされた枠体３１の片面に太陽電池ユニット３２が貼設され、他面に化粧材３３が貼設され、枠体３１内に断熱材３４が設けられて構成されている。また、枠体３１の両側部にローラ３５が設けられており、このローラ３５をレール３０、３０に載せて滑動させることでレール３０、３０に沿って平行移動できるようになされている。この可動屋根材３は、均等な３ブロックに区画された住宅建物１０の間取りの１つのブロックに相当する大きさとなされ、レール３０、３０間に二枚が設けられる。したがって、住宅建物１０は、３ブロックのうち、２つは、可動屋根材３によって遮蔽されており、残りの１つのブロックが開放された状態となされている。可動屋根材３は、この可動屋根材３もしくは棟部１１の空間に組み込まれた電動モータ（図示省略）により屋内からリモートコントロールすることによって動かすことができ、任意の位置に停止させることができるようになされている。この場合、電動モータ（図示省略）の駆動源は、太陽電池ユニット３２からも供給することができる。
【００２１】
この可動屋根構造によると、生活状況に応じて可動屋根材３を可動させることで、快適な生活空間を構成することができる。
【００２２】
例えば、可動屋根材３に設けられた太陽電池ユニット３２は、図４に示すように、太陽の位置に合わせて移動させることで、陰になる部分を避けて効率の良い発電が可能となる。また、ガラス屋根材２０が設けられた透光部２下の居住空間は、透光部２上に可動屋根材３が位置しないように移動させておけば、屋内と屋外との一体感が得られる解放感のある空間にすることができるし、透光部２上に可動屋根材３が位置するように移動させておけば、屋外からの日射を遮蔽して断熱効果の向上を図るとともに、通常の居室と同様に落ち着きのある室内空間を構成することができる。
【００２３】
また、均等な３ブロックに区画した住宅建物１０の間取りのうち、２つのブロックを可動屋根材３によって遮蔽し、残りの１つのブロックを開放しているので、生活に合わせたフレキシブルな居住空間を演出することができる。
【００２４】
すなわち、通常は、図４（ｂ）に示すように、ダイニング１０ｂおよびリビング１０ｃ側に可動屋根材３を載せた状態で、バルコニー１０ｆ側から光、空気の取り入れを行うことで、一般的なダイニング１０ｂ、リビング１０ｃ、バルコニー１０ｆとして機能させることができる。雨天の場合やダイニング１０ｂおよびリビング１０ｃ側から光を取り入れたい（空を見ていたい）場合には、図４（ａ）に示すように、可動屋根材３をバルコニー１０ｆ側に移動させ、ダイニング１０ｂおよびリビング１０ｃの上方に透光部２を出現させる。これにより、ダイニング１０ｂおよびリビング１０ｃは屋内と屋外とが一体化した解放感のある半屋外的な空間へと変更され、バルコニー１０ｆは、可動屋根材３に被覆されて半屋内的な空間へと変更され風雨をしのぐ事ができる。なお、この際、ダイニング１０ｂおよびリビング１０ｃと、バルコニー１０ｆとの間を大開口のフルフラットサッシとし、ダイニング１０ｂおよびリビング１０ｃのフローリングと、バルコニー１０ｆのすのこデッキとの素材感を揃え、フロアレベルでも屋内外の一体感をとることによって、空間の演出効果を一層向上させることができる。
【００２５】
また、浴室１０ｉについても、通常は、図４（ｂ）に示すように、可動屋根材３を載せた状態で一般的な浴室１０ｉとして機能させることができる。星が綺麗な夜や昼間に日光浴もかねて水浴びなど、空を見ながら入浴したような場合には、図４（ｃ）に示すように、可動屋根材３をバルコニー１０ｆ側に移動させ、浴室１０ｉおよび露天洗場１０ｊの上方に透光部２を出現させる。これにより、浴室１０ｉおよび露天洗場１０ｊは屋内と屋外とが一体化した解放感のある半屋外的な空間へと変更され露天風呂感覚が味わえる。
【００２６】
なお、本実施の形態において、可動屋根材３は、太陽電池ユニット３２が設けられているが、このような太陽電池ユニット３２が設けられず、通常の屋根材で仕上げられた可動屋根材３となされたものであってもよい。また、この場合、屋根材は、本実施の形態のようにパネル状に形成されたものに限定されるものではなく、巻き取り可能なシャッターやシート状に形成されたものであってもよい。
【００２７】
また、本実施の形態において、住宅建物１０は片流れ屋根１となされているが、切妻屋根の片側の勾配面において同様の構成となされたものであってもよいし、陸屋根において同様の構成となされたものであってもよい。
【００２８】
さらに、本実施の形態において、可動屋根材３は、片流れ屋根１の勾配に対して直行する方向に平行移動するようになされているが、勾配に沿って平行移動するようになされたものであってもよい。また、本実施の形態において、可動屋根材３は、均等な３ブロックに区画した住宅建物１０の間取りのうち、２つのブロックを遮蔽するように設けられているが、１つのブロックを遮蔽するように設けられたものであってもよいし、３つのブロックすべてを遮蔽するように設けられ、各可動屋根材３が重なるように移動して、１つのブロックまたは２つのブロックを開放することができるようになされたものであってもよい。また、ブロックは、２つに区画されたものであってもよいし、４つ以上であってもよい。
【産業上の利用可能性】
【００２９】
勾配屋根または陸屋根を有する住宅建物の屋根に適用できる。
【図面の簡単な説明】
【００３０】
【図１】本発明に係る可動屋根構造の全体構成の概略を示す分解斜視図である。
【図２】可動屋根構造の棟部を示す部分断面図である。
【図３】可動屋根構造の軒部を示す部分断面図である。
【図４】（ａ）ないし（ｃ）は可動屋根構造の使用状態を説明する斜視図である。
【図５】可動屋根構造を設けた住宅建物の間取りを示す平面図である。
【符号の説明】
【００３１】
１  片流れ屋根（勾配屋根）
１０  住宅建物
１０ｂ  ダイニング
１０ｃ  リビング
１０ｆ  バルコニー
１０ｉ  浴室
１０ｊ  露天洗場
１０ｋ  屋根
２  透光部
２０  ガラス屋根材
３  可動屋根材
３０  レール
３２  太陽電池ユニット
【図１】
2005083117.tif 000003
【図２】
2005083117.tif 000004
【図３】
2005083117.tif 000005
【図４】
2005083117.tif 000006
【図５】
2005083117.tif 000007